【手続補正書】
【提出日】平成29年9月5日(2017.9.5)
【手続補正１】
【補正対象書類名】特許請求の範囲
【補正対象項目名】全文
【補正方法】変更
【補正の内容】
【特許請求の範囲】
【請求項１】
表示面に情報を表示する表示手段と、
前記表示面と同じ面に設けられ、ユーザーの指を２次元の画像として読み取る画像読み取り手段と、
前記画像読み取り手段により読み取られた画像を用いて、前記指の移動方向を検知する移動検知手段と、
前記移動検知手段により検知された移動方向に応じた処理を行う処理手段と
を有する情報処理装置。
【請求項２】
前記処理手段において、前記移動方向が第１方向の場合と第２方向の場合とでそれぞれ異なる処理が割り当てられている
ことを特徴とする請求項１に記載の情報処理装置。
【請求項３】
前記処理手段は、前記移動検知手段により検知された移動方向に応じて、前の画像に戻る
ことを特徴とする請求項１または２に記載の情報処理装置。
【請求項４】
前記処理手段は、前記移動検知手段により検知された移動方向に応じて、次の画像に進む
ことを特徴とする請求項１ないし３のいずれか一項に記載の情報処理装置。
【請求項５】
前記処理手段は、前記移動検知手段により検知された移動方向に応じて、メニューを表示する
ことを特徴とする請求項１ないし４のいずれか一項に記載の情報処理装置。
【請求項６】
前記処理手段は、前記移動検知手段により検知された移動方向に応じて、メニューを非表示にする
ことを特徴とする請求項１ないし５のいずれか一項に記載の情報処理装置。
【請求項７】
前記画像読み取り手段によって読み取られたユーザーの指の画像を用いて当該ユーザーの指紋認証を行う認証手段と、
前記画像読み取り手段により読み取られた画像により示される前記指の移動速度に応じて、当該画像の出力先を前記移動検知手段および前記認証手段のいずれかに切り替える切り替え手段と
を有する請求項１ないし６のいずれか一項に記載の情報処理装置。
【請求項８】
自装置の向きを検知する向き検知手段と、
前記向き検知手段により検知された向きに応じて、前記移動方向と前記処理手段における処理の関連付けを変える設定手段と
を有する請求項１ないし７のいずれか一項に記載の情報処理装置。
【請求項９】
前記画像読み取り手段は、第１時間間隔で間欠的に画像を読み取り、
前記画像読み取り手段により読み取られた画像に前記ユーザーの指が含まれるか判断する判断手段を有し、
前記画像に前記ユーザーの指が含まれると前記判断手段により判断された場合、前記画像読み取り手段は、前記第１時間間隔よりも短い第２時間間隔で画像を読み取る
ことを特徴とする請求項１ないし８のいずれか一項に記載の情報処理装置。
【請求項１０】
前記移動検知手段は、前記指が、画像に含まれる状態から画像の外まで移動した場合、前記ユーザーの指が前記読み取り手段上をスワイプしたことを検知し、
前記スワイプが検知された場合、前記処理手段は、前記スワイプの方向に応じて、前記表示手段に表示される情報を切り替える
ことを特徴とする請求項１ないし９のいずれか一項に記載の情報処理装置。
【請求項１１】
情報処理装置の制御方法であって、
表示面に情報を表示し、
前記表示面と同じ面に設けられた画像読み取り手段によって、ユーザーの指を２次元の画像として読み取り、
前記画像読み取り手段によって読み取られた画像を用いて、前記指の移動方向を検知し、
検知された移動方向に応じた処理を行う
ことを特徴とする情報処理装置の制御方法。
【請求項１２】
前記移動方向が第１方向の場合と第２方向の場合とでそれぞれ異なる処理が割り当てられている
ことを特徴とする請求項１１に記載の情報処理装置の制御方法。
【請求項１３】
検知された移動方向に応じて、前の画像に戻る
ことを特徴とする請求項１１又は１２に記載の情報処理装置の制御方法。
【請求項１４】
検知された移動方向に応じて、次の画像に進む
ことを特徴とする請求項１１ないし１３のいずれか一項に記載の情報処理装置の制御方法。
【請求項１５】
検知された移動方向に応じて、メニューを表示する
ことを特徴とする請求項１１ないし１４のいずれか一項に記載の情報処理装置の制御方法。
【請求項１６】
検知された移動方向に応じて、メニューを非表示にする
ことを特徴とする請求項１１ないし１５のいずれか一項に記載の情報処理装置の制御方法。
【請求項１７】
前記画像読み取り手段によって読み取られたユーザーの指の画像を用いて当該ユーザーの指紋認証を行い、
前記画像読み取り手段により読み取られた画像により示される前記指の移動速度に応じて、前記指の移動方向の検知、および前記指紋認証のいずれかを行う
ことを特徴とする請求項１１ないし１６のいずれか一項に記載の情報処理装置の制御方法。
【請求項１８】
自装置の向きを検知し、
検知された向きに応じて、前記移動方向と前記処理の関連付けを変える
ことを特徴とする請求項１１ないし１７のいずれか一項に記載の情報処理装置の制御方法。
【請求項１９】
第１時間間隔で間欠的に画像を読み取り、
前記画像読み取り手段により読み取られた画像に前記ユーザーの指が含まれるか判断し、
前記画像に前記ユーザーの指が含まれると判断した場合、前記画像読み取り手段により、前記第１時間間隔よりも短い第２時間間隔で画像を読み取る
ことを特徴とする請求項１１ないし１８のいずれか一項に記載の情報処理装置の制御方法。
【請求項２０】
前記指が、画像に含まれる状態から画像の外まで移動した場合、前記ユーザーの指が前記読み取り手段上をスワイプしたことを検知し、
前記スワイプが検知された場合、前記スワイプの方向に応じて、前記表示面に表示される情報を切り替える
ことを特徴とする請求項１１ないし１９のいずれか一項に記載の情報処理装置の制御方法。
【請求項２１】
情報処理装置を制御するプログラムであって、
前記プログラムは、前記情報処理装置に、
表示面に情報を表示させ、
前記表示面と同じ面に設けられた画像読み取り手段によって、ユーザーの指を２次元の画像として読み取らせ、
前記画像読み取り手段によって読み取られた画像を用いて、前記指の移動方向を検知させ、
検知された移動方向に応じた処理を行わせる
ことを特徴とするプログラム。
【請求項２２】
前記移動方向が第１方向の場合と第２方向の場合とでそれぞれ異なる処理が割り当てられている
ことを特徴とする請求項２１に記載のプログラム。
【請求項２３】
前記情報処理装置に、
検知された移動方向に応じて、前の画像に戻らせる
ことを特徴とする請求項２１又は２２に記載のプログラム。
【請求項２４】
前記情報処理装置に、
検知された移動方向に応じて、次の画像に進ませる
ことを特徴とする請求項２１ないし２３のいずれか一項に記載のプログラム。
【請求項２５】
前記情報処理装置に、
検知された移動方向に応じて、メニューを表示させる
ことを特徴とする請求項２１ないし２４のいずれか一項に記載のプログラム。
【請求項２６】
前記情報処理装置に、
検知された移動方向に応じて、メニューを非表示にさせる
ことを特徴とする請求項２１ないし２５のいずれか一項に記載のプログラム。
【請求項２７】
前記情報処理装置に、
前記画像読み取り手段によって読み取られたユーザーの指の画像を用いて当該ユーザーの指紋認証を行わせ、
前記画像読み取り手段により読み取られた画像により示される前記指の移動速度に応じて、前記指の移動方向の検知、および前記指紋認証のいずれかを行わせる
ことを特徴とする請求項２１ないし２６のいずれか一項に記載のプログラム。
【請求項２８】
前記情報処理装置に、
自装置の向きを検知させ、
検知された向きに応じて、前記移動方向と前記処理の関連付けを変えさせる
ことを特徴とする請求項２１ないし２７のいずれか一項に記載のプログラム。
【請求項２９】
前記情報処理装置に、
第１時間間隔で間欠的に画像を読み取らせ、
前記画像読み取り手段により読み取られた画像に前記ユーザーの指が含まれるか判断させ、
前記画像に前記ユーザーの指が含まれると判断された場合、前記画像読み取り手段に、前記第１時間間隔よりも短い第２時間間隔で画像を読み取らせる
ことを特徴とする請求項２１ないし２８のいずれか一項に記載のプログラム。
【請求項３０】
前記情報処理装置に、
前記指が、画像に含まれる状態から画像の外まで移動した場合、前記ユーザーの指が前記読み取り手段上をスワイプしたことを検知させ、
前記スワイプが検知された場合、前記スワイプの方向に応じて、前記表示面に表示される情報を切り替えさせる
ことを特徴とする請求項２１ないし２９のいずれか一項に記載のプログラム。